(57)【特許請求の範囲】
【請求項１】
少なくとも２つの櫛（１，８）をまわりに配置した本体からなる複櫛ヘアカーラー（９）であって、
前記少なくとも２つの櫛（１，８）が、本体から離れた先端を有する角錐形または円錐形の歯（１）を含む少なくとも１つの櫛（１）と、一定の厚さの多角形の歯を有する少なくとも１つの櫛（８）とを含み、
前記角錐形または円錐形の歯（１）が、本体の長さに沿って少なくとも１箇所それらの対向面に、２つの隣接する歯（１）の間に配置される開放溝（２）によって形成された狭部（２）を含み、該溝（２）は、髪の末端を保持するように溝（２）をつくるために横断面が曲線形状または多角形であり、かつその軸が歯および本体の軸に対して垂直であり、
前記多角形の歯を有する櫛（８）には狭部がなく、
前記狭部（２）を有する前記櫛（１）と、該狭部を有しない前記櫛（８）とを、それぞれ交互に等角度の間隔をおいて配置したことを特徴とする複櫛ヘアカーラー（９）。
【請求項２】
前記狭部が、前記歯（１）の基部に配置されていることを特徴とする請求項１に記載のヘアカーラー（９）。
【請求項３】
前記狭部（２）を有する前記櫛（１）と、該狭部を有しない前記櫛（８）とを２つづつ、合計４つの櫛（１，８）を含む請求項１に記載のヘアカーラー（９）。
【請求項４】
一体的な加熱体または外部加熱体によって加熱され得るように耐熱材料によって構成されていることを特徴とする請求項１に記載のヘアカーラー（９）。
【請求項５】
ブラシを形成する目的で、着脱可能なハンドル（１１）に組み付けるための手段を含む形式のヘアカーラー（９）であって、前記ハンドル（１１）は、その少なくとも１つが、動かすことができるタブ（６）の前部に配置されたノッチ（１２）を有する構成とされた可撓性のあるタブ（６）のシステムによって、ヘアカーラー（９）の本体に配置されたほぞ穴（１０）にパチッとはめ込まれることを特徴とする請求項１から請求項４のいずれかに記載のヘアカーラー（９）。
【請求項６】
ヘアカーラーを含むブラシが、ノッチが押しボタン（７）によって開放されるストップノッチ（１２）であることを特徴とする請求項５に記載のヘアカーラーを含むブラシ。
【発明の詳細な説明】
発明の詳細な説明
本発明は、それ自体を自己固定するヘア保持溝（２）が設けられた複櫛（１，８）ヘアカーラー（９）に関する。
自己固定式ヘアカーラーをつくるための試みが、長年にわたってなされてきた。種々のシステムが開発されてきたが、本発明は、初めて、櫛の歯が、その基部に、巻き付けの開始時（髪の末端）および巻き付けの終了時の両方において固定のために髪を保持するように構成された溝（２）を含む櫛（１，８）を有するシステムを提供している。
髪の末端（巻き付け開始時）のための保持システムは、従来、髪の末端を覆うための紙、またはゴムバンド、またはブラシ、またはベルクロのいずれかの補助を伴うように構成されてきた。髪の固定に関しては、ゴムバンド、スパイクまたはクリップによって提供された。髪の末端の保持およびヘアカーラー自体の固定の両方を結合したシステムはない。
溝（２）のシステムは、髪の末端の保持とヘアカーラーの最終固定の両方に寄与するという利点を有している。
これらの保持溝（２）は、巻き付けに際し、髪が徐々にスライドすることを許容するので、髪のキューティクルが同時になでつけられ、結果として、髪に静電気が帯電してしまうことを防げる有利なスムージング効果を奏することになる。
本発明の目的は、荒っぽい方法によってヘアカーラーを固定する材料の攻撃的な性質を通じて髪が帯電させられる問題を解決するとともに、髪の末端の固定およびヘアカーラーの固定の二つの問題を一度に、かつ、同時に解決することである。
本発明によれば、この目的は、ヘアカーラーの櫛（１，８）の歯の基部に配置された保持溝（２）によって達成され、これらの溝（２）は、髪を優しく受け入れ、かつそれらを溝の特殊形状によって内部保持するように設計されている。
簡単で、実用的で、かつ効果的な性質に加え、本発明は、その自律性により２回の操作を必要としないので、かなりの時間的節約が可能であるという経済的な利点をも与えるものである。ヘアカーラー（９）は、髪の末端を保持するためのみならず、ヘアカーラーを髪の基部に固定するための付属品をも伴わずにそれ自体で完結している。
生産コストに無理がないことが担保できれば、ヘアカーラー（９）を、最新の材料によって構成し、射出成形によって製造してもよい。
本発明を、下記の５つの異なる形態で示し、その中の３つの形態を図面によって示す。
１．  図１によるヘアカーラーは、手で使うものである。複櫛ヘアカーラーは、少なくとも２つの櫛を含んだ長方形の本体によって構成され、本体のまわりに配置された少なくとも１つの櫛が、先端が本体から離れた角錐形または円錐形の歯（１，８）と、その長さ方向に沿って少なくとも１箇所の髪保持溝（２）を与えるための狭部（２）とを含むことを特徴とする。
２．  図８によるヘアカーラー／ブラシは、スナップ係合システム（図４）によって、ハンドル（１１）に取り付けられている。ヘアカーラー（９）は、上述のものと全く同様の形が与えられているが、それに加えて、該ヘアカーラーをブラシに変換する可撓性のある切り欠きタブ（６）によって該ヘアカーラー（９）をハンドル（１１）にスナップ係合することができるシステム（図２）が設けられている。ヘアカーラー（９）が完全に巻き付けられかつ固定されたときには、ヘアスタイルを安定させるために必要な時間だけ、頭にヘアカーラーを残して、前記ヘアカーラー（９）からハンドル（１１）を分離するために、前記ノッチ（１２）によって前記タブ（６）を再度曲げるだけで十分である。その後、この第１のヘアカーラー（９）のないハンドル（１１）のみを、新たなヘアカーラーに固定することができ、さらに、頭髪全体のスタイリング作業を継続するために、他のヘアカーラーに固定することができる。
３．  図８によるヘアカーラー／ブラシが、ブラシとしてのみ使用される。上記２において説明された形態において、本発明は、髪の巻き付け中のあらゆる段階において髪を保持することができる利点を伴って、従来のブロー乾燥スタイリングの実行を可能にするブラシとして使用され得る。また、通常の髪のブラッシングにも使用することができ、キューティクルをなめらかにし、同時に、静電気を排除する利益がある。
４．  ヘアカーラーは、一体的な加熱体によって加熱される。本発明は、髪の末端および髪の基部の固定を明らかに同じままにして、一体的な加熱体を用いて実施されてもよい。
５．  ヘアカーラーは、外部の加熱体上において加熱される。本発明は、前記加熱されるヘアカーラーの伝統的な原理に従って、外部の加熱体に固定する可能性を伴って実施されてもよく、同時に、現状の加熱されるヘアカーラーの型に設けられる他のすべての固定手段を避けて、髪の末端およびヘアカーラーの両方を固定する保持溝（２）の効果を維持する。
【図１】
0003996195.tif 000002
【図２】
0003996195.tif 000003
【図３】
0003996195.tif 000004
【図４】
0003996195.tif 000005
【図５】
0003996195.tif 000006
【図６】
0003996195.tif 000007
【図７】
0003996195.tif 000008
【図８】
0003996195.tif 000009